(57)【特許請求の範囲】
【請求項１】
外周にビードを有するボトル頸部上に通されて、それに固定されるようになっている万引き防止装置であって、
ボトル頸部上に通される内側ソケット（10）と、その内側ソケットの外側に取付けられる外側ソケット（15）とを具備し、該外側ソケットは上記内側ソケットに対して二つの端部位置の間を移動可能であり、
更に周方向に分配された複数の保持部（21）を具備し、該保持部は、係合位置においては、万引き防止装置がボトル頸部から引き抜かれるのを防止するためにボトル頸部のビードの後ろで係合し、
更に保持部が係合位置に位置した状態にある一方の端部位置に外側ソケットを固定するためのラッチ手段（24）を具備し、該ラッチ手段は、ラッチ位置に付勢されているが、保持部を係合位置から移動させて万引き防止装置をボトル頸部から引き抜くために付勢力に抗して非係合位置まで外部要素（31）によって作動可能である、万引き防止装置において、
外側ソケットの内側表面上において周方向に分配されている保持部（21）は、外側ソケットが前記一方の端部位置に位置しているときには、内側ソケットの壁の開口部（13）を通って内側ソケット内まで延びて係合位置に位置しており、ラッチ手段がその非係合位置まで作動された後には、外側ソケットが、前記一方の端部位置から前記保持部が係合位置から開口部を通って引き抜かれた状態となる他方の端部位置の方へと調整可能になることを特徴とする万引き防止装置。
【請求項２】
外側ソケット（15）が内側ソケット（10）上を軸方向に移動可能なことを特徴とする請求項１に記載の万引き防止装置。
【請求項３】
ラッチ手段（24）が外部要素によって非係合位置まで磁力により作動可能なことを特徴とする請求項１又は２に記載の万引き防止装置。
【請求項４】
ラッチ手段が外側ソケット（15）上に位置するばねブレード（24）を具備し、そのばねブレード（24）は、係合位置においてその自由端によって内側ソケット（10）の肩部（12）と係合し、更に外部要素によって肩部と係合した状態からばねブレードの自由端を磁力により引きつけることで、ばねブレード（24）を非係合位置に調整可能なことを特徴とする請求項３に記載の万引き防止装置。
【請求項５】
保持部が外側ソケット（15）上にばね舌部（21）を具備しており、前記一方の端部位置に外側ソケット（15）が位置しているとき、ばね舌部（21）は、係合位置において内側ソケットの開口部（13）を通ってボトルの口の方に斜めに内側に延びて、ばね舌部（21）の自由端においてビードと係合し、更に、前記一方の端部位置から前記他方の端部位置の方に外側ソケットが調整されることによって、ばね舌部（21）は係合位置から開口部を通って引き抜かれ得ることを特徴とする請求項１〜４のいずれか一項に記載の万引き防止装置。
【請求項６】
ばね舌部（21）は、その自由端がソケット（10,15）の中心軸の方に曲げられることを特徴とする請求項５に記載の万引き防止装置。
【請求項７】
ばね舌部は、その自由端に二つの先の尖った歯（22）を形成するＶ形状の切り欠きを有することを特徴とする請求項５又は６に記載の万引き防止装置。
【請求項８】
保持部が外側ソケット（15）上にばね舌部（21）を具備しており、前記一方の端部位置に外側ソケット（15）が位置しているとき、ばね舌部（21）は、係合位置において内側ソケットの開口部（13）を通ってボトルの口の方に斜めに内側に延びて、ばね舌部（21）の自由端においてビードと係合し、更に、前記一方の端部位置から前記他方の端部位置の方に外側ソケットが調整されることによって、ばね舌部（21）は係合位置から開口部を通って引き抜かれ、前記ばねブレード（24）および前記ばね舌部（21）は、外側ソケット（15）の内側表面に配置されたばね鋼の細片（18）から曲げられることを特徴とする請求項４に記載の万引き防止装置。
【請求項９】
ばね舌部（21）はその基礎部でばね鋼の細片（18）のリボン形状の基部（19）の一方の縁部に結合し、ばね鋼の細片（18）は周方向に延びている穴（20）を形成し、更に、上記基部は穴を露出させた状態で上記基部の他方の縁部において外側ソケットに取付けられることを特徴とする請求項８に記載の万引き防止装置。
【請求項１０】
二つ以上のばねブレード（24）が設けられ、更に、外部要素（31）は、外側ソケット（15）の周りに適用可能なリングを形成しかつばねブレードを作動させるマグネット（33）を有することを特徴とする請求項４に記載の万引き防止装置。
【請求項１１】
前記装置は外部の警報機構の一部を形成する警報要素を有することを特徴とする請求項１〜10のいずれか一項に記載の万引き防止装置。
【発明の詳細な説明】
本発明は、外面の周囲にビードを有するボトルの頸部に通されかつ固定される、万引き防止装置に関する。
客が店内を歩き回りかつ展示されている品物を見るだけでなくそれらを運び去ることが可能な、セルフサービスの店又はスーパーマーケットの導入により、軽微な窃盗及び万引きは、実質的に増加している。不正直な人が品物の支払いをせずに店から品物を運び去らないように、店内には、品物の各部分に警報要素を有する高価な警報機構の導入が必要であった。カウンタで支払いが行われる際に、公正に購入されると、その警報要素は、品物から取り外されるか作動しなくされる。しかし、品物を保持した公正でない客が店の出口の一つを通過する際には、それは行われず、警報が鳴らされる。万引きを引き起こす品物の中には、外国のセルフサービスの店で入手可能な高価な精選されたワイン及びアルコールがあり、それらは、将来には、本国でもセルフサービスの店で販売されるであろう。
ボトルに固定された警報要素を有する万引き防止装置が提供されており、仏国特許第A2−２  606  161号及び仏国特許第A2−２  608  285号は、ボトルの頸部の外面の周囲にビードを有するボトルに適切に適用される万引き防止装置の例を開示している。それから、固定された警報要素を備えた万引き防止装置は、ビードの後ろの柔軟なワイヤの環状部によって包囲されたボトルの頸部により、ボトルに適用されており、該環状部は、該ボトルの万引き防止装置を支持し、ワイヤの環状部及び万引き防止装置をボトルから移動させるためには、しばしば強力なマグネットである、幾つかの型式の特有の工具を要する方法で固定される。この従来の技術の万引き防止装置は、通常の切断用ニッパによってワイヤの環状部が容易に切断されるために、特に安全なわけではない。更に、ボトルに万引き防止装置を適用すること及びそれから装置を取り外すことは、比較的偶発的なことである。
仏国特許第A1−２  586  231号及び米国特許第Ａ−１  343  962号は、栓が抜かれるのを防止するが警報要素を有しない、ボトルに固定される装置を開示している。
本発明の目的は、上記言及された種類の万引き防止装置を提供することであり、その装置よって、認められていないのにボトルから取り外されてしまうことに抗する実質的な安全性が提供され、その装置は、容易に適用可能でありかつ適当に取り外されることが可能である。その結果、カウンタで個人に更に負荷が付加される必要がなく、該装置は、装置上に警報要素が適用されるのに適切である。
該目的のために、本発明に関する万引き防止装置は、仏国特許第A1−２  586  231号に開示されているように、ボトルの頸部に通される内側のソケットと、内側のソケットの外側に配置される外側のソケットとを具備し、外側のソケットは、二つの端部位置の間で内側のソケットに関して移動されることが可能であり、更に周囲に分配された複数の保持部を具備し、複数の保持部は、係合される位置では、ボトルの頸部の後ろで係合し、その結果、万引き防止装置がボトルの頸部から引き抜かれるのを防止し、更に一方の端部位置で、外側のソケットを、係合される位置の保持部と固定するラッチ手段を具備し、ラッチ手段は、ラッチ位置まで付勢されるが、外部の要素によって、付勢に抗して分離される位置まで作動されることが可能であり、その結果、保持部が係合された位置から移動されることと、万引き防止装置がボトルの頸部から引き抜かれることが可能になる。
万引き防止装置は、本発明に関して、請求項１の特徴部分を有する。
本発明は、以下添付の図面を参照して、より詳細に説明され、
図１は、二点鎖線で示されたボトルに固定された、好適な実施例の万引き防止装置の軸方向の断面図であり、
図２は、ボトルから引き抜かれる位置の万引き防止装置の相当する軸方向の断面図であり、
図３は、装置の内側のソケットの軸方向の断面図であり、
図４は、装置の外側のソケットの軸方向の断面図であり、
図５は、図４の外側のソケットの下からの端面図であり、
図６は、ばねの舌部として提供された、装置のラッチ手段と保持部の一部分を形成する細片の平坦にされた状況が示された、万引き防止装置に含まれるばね鋼の細片の図面であり、
図７は、図６のばね鋼の細片の端面図である。
図１〜７に関する実施例で説明されている万引き防止装置は、強固なプラスチックの円形の円筒形の内側のソケット10を具備し、ソケット10は、端部の壁11によって一方の端部を閉鎖されている。ソケットの他方の端部では、壁の厚さがソケットの他の部分より厚くされ、ソケットの外側表面に、周囲の肩部12が提供されている。この厚い壁の部分には八つの開口部13が提供され、開口部13は、ソケットの外側表面から内側表面まで、下部11の方に内側に斜めに延長する。各開口部13には平坦な下部を備えた溝14が提供され、該溝は、開口部からソケットの端部の縁部まで延長する。
内側のソケット10の外側には、ソケット10に関して軸方向に移動可能な、プラスチック製の円形の円筒形の外側のソケット15が同軸上に提供される。ソケット15は、一方の端部に環状の端部の壁16を形成する。これもまた強固なプラスチック製である、リング17が、他方の端部でソケット15に結合され、該リングは、外側のソケット15の該他方の端部に環状の端部の壁を形成する。端部の壁16及び17は、内側のソケット10上を外側のソケット15が移動する、二つの端部位置を限定する。すなわち、一方の端部位置では、図１に関する端部の壁17は、ソケット10の下側端部、つまり、ソケット10の開口端部の縁部と係合し、外側のソケット15は、内側のソケット10の全体に及んで通される。他方の端部位置では、端部の壁16は肩部12と係合し、他方の端部位置は、内側のソケット10上を、外側のソケット15を図２の位置から更に下方に移動させることによってもたらされる。
厚さが3mmでありかつ図６に見られる形状の、磁石に引かれるばね鋼の細片18は、円形のリングになるまで弾性的に曲げられ、外側のソケット15に固定される。ばね鋼の細片は、長手の穴20を有するリボン形状の基部19を形成する。八つのばねの舌部21は、該基部の一方の縁部から垂直に突出しかつ該基部に沿って均一に分配され、該舌部は、その自由端にＶ形状の切り欠きを有し、二つの歯22を形成する。ばねの舌部21は、図７からわかるように、基部に対して約40゜の角度曲げられる。二つのＵ形状の部分23は、ばねの舌部21が提供されている基部19の同一の縁部に提供される。縁の位置の各部分23は、ばね鋼の細片が円形形状に曲げられる際に互いに直径方向対向する二つのばねの舌部のうちの一方の各側部の位置で、基部19に結合される。ばねの舌部24は、Ｕ形状の部分23の中間部から縁の間に配置されたばねの舌部21の方に突出し、該ばねの舌部24は、舌部21と同様の方向にではあるが、図７からわかるように、約６゜の角度のみ曲げられる。
図６及び７に関するばね鋼の細片18を外側のソケット15に固定するために、外側のソケット15の内側表面には、周囲の凹部25が提供され、周囲の凹部25は、Ｕ形状の部分23を収容するための二つの直径方向に対向する長方形の拡大部26と、ばねの舌部21に相当する六つの小さい長方形の拡大部27とを有する。二つのばねの舌部は、拡大部26に配置される。ばね鋼の細片18は、周囲の凹部25に配置されるリボン形状の基部19を有し、図１及び２に示されるように、外側のソケット15の内側表面とリング17の外側表面との間に締結され、該リングは、リボン形状の基部19の下側部のみを覆い、その結果、穴20は覆われない。リング17は、超音波溶接によって外側のソケット15に結合される。従って、外側のソケット15と、リング17と、ばね鋼の細片18とは、内側のソケット10に関して軸方向に移動可能なユニットを形成する。
図１に示されるように、外側のソケット15がソケット10上を完全に通され、外側のソケット15が、内側のソケット10の縁部表面と係合する端部の壁17と共に、一方の端部位置に配置される際には、ばねの舌部24の自由端は、肩部12の上に又はすぐ近くに配置され、外側のソケット15が図面に示されるような端部位置に配置される際に、ばねの舌部がこのように配置されるように、ばねの舌部24の長さの寸法は決定される。従って、ばねの舌部24は、肩部12で係合するために、図１に見られるように、内側のソケット10に関して外側のソケット15が軸方向下方に移動するのを防止する。ばねの舌部24及び肩部12は、従って、図１に関する該一方の端部位置に外側のソケット15を固定するラッチ手段を形成する。ばねの舌部21は、それぞれ開口部13の一つを通じて延長し、その結果、ばねの舌部21の自由端はソケット10に配置され、図１に見られるように、ばねの舌部21は、内側のソケット10の内側に斜めに、下部11の方に向けられる。
図１に示される位置に互いに固定されたソケット10及び15を有する万引き防止装置が、二点鎖線によって図１及び２に示されかつワインボトル及び幾つかのアルコールのボトルで習慣的になっている環状のビードを口に有するボトルに適用される場合、装置は、ボトルの顎部上を下方に通される。それから、ばねの舌部21は、弾性的に押し戻されてビード29上を通過し、ビードの後ろのボトルの頸部と弾性的に係合する。万引き防止装置は、端部の壁11の内側表面でボトルの口（又は口の上に適用されるキャップ）に支持されるか、ボトルの形状又はボトルの頸部の長さに依存してボトルの肩部に支持される。この支持位置は、図１の二点鎖線30によって部分的に示される。図１の矢印で示されるように、ボトルから万引き防止装置が引き抜かれようとする場合、ばねの舌部21は、これも図１に示されるように、ビード29と係合し、ボトルから万引き防止装置が引き抜かれるのを防止する。更に装置を引っ張ると、ばねの舌部は更にビード29と係合する。ばねの舌部は、認められていない移動に抗してボトル上の万引き防止装置を保持する、保持部を形成する。
説明されている実施例では、万引き防止装置は、認められていないのにボトルの栓が抜かれるのを防止するために使用可能であるが、好適には、警報機構の一部分を形成する警報要素を有し、適用された万引き防止装置を備えたボトルが、警報機構によって保護される領域から持ち出される場合、つまり、保護されたボトルを持った人がセルフサービスの店の出口の検知手段を通過する場合には、警報機構は警報を発する。この警報機構には、小さく平坦な警報要素が小さい覆い又は板の下に固定可能であり、小さい覆い又は板は、超音波溶接によって外側のソケット15の外側表面に締結され、警報要素は、この配置のために、動かされることができず不正に移動されない。
万引き防止装置の認められた移動は、セルフサービスの店のカウンタの係員によって使用される特別の工具を使用してのみ行われる。工具が二点鎖線で示されている図２に関し、該工具は、外側のソケット15上を通されるために十分に大きい内径を有するリング31で構成され、リングがソケット15上に配置可能にされるために端部の壁16と係合する肩部32を形成する。リングには、直径方向対向する位置に、二つの強力な永久磁石が提供され、図１に関する位置で万引き防止装置と係合されたリング31が、外側のソケット15上を通される際に、これらの永久磁石は、関連するばねの舌部24を引きつける。リングが最初にばねの舌部24に対向して配置されていない場合、リングを僅かに回転させることにより、ばねの舌部24への磁石の引力によって、リングは、磁石が該舌部に対向する回転された位置まで調整される。磁石33へのばねの舌部24の引力により、舌部は、肩部12から分離され、外側のソケット15は、内側のソケット10に関して、図１の軸方向下方に移動されて解放される。ソケット15のこの移動は、リング31を下方に押し下げることによってもたらされる。リングの移動は、肩部32を越えて外側のソケット15まで伝達され、外側のソケット15は、内側のソケット10に関して下方に移動する際に、係合された位置から開口部13を通じて図２に示される位置までばねの舌部21を引き抜き、そこでは、ばねの舌部21は溝14の下部と係合する。ここでは、万引き防止装置は、持ち上げられるリング31によってボトルから持ち上げられることが可能であり、該リングは、マグネットと共に、マグネット33上で移動する装置を保持する。ボトルの頸部の長さが短くて、ばねの舌部21がビード29上を通るために、外側のソケット15を十分に移動できない場合、外側のソケットがリング31によって保持されている際に、内側のソケット10を上方に引き抜くことが必要である。このことは、通常のワインボトルに関する限り不必要であるが、外国のアルコールの多くの特別のボトル関する限り必要な場合がある。
内側のソケット10へ外側のソケット15を固定するラッチ手段の一部分を形成するばね鋼の細片と、万引き防止装置の認められていない移動を防止するために必要な保持部とを有する、説明されている実施例は、その実施例が、簡単で細長い万引き防止装置に適用され、同時に、認められていないのにボトルから万引き防止装置が移動されようとするのに抗して大きな安全性を提供するために、好適な実施例である。ばねの舌部21は二つの歯22を形成しているので、該舌部は、ボトルのビード29と最も効果的に係合するために、ボトルの頸部の円筒形の形状に適合される。その係合は、図７の破線22'によって示されるように、ソケットの中心軸の方に傾けられた歯22の端部によって更に改良されることが可能である。ばねの舌部21の長方形の形状は、制動に耐えるのにばねの舌部が十分な強度を有するために、効果的であり、同時に舌部は、移動する際に、変形しないで移動する広い範囲を有する。万引き防止装置が、異なる厚さの頸部を備えたボトルに使用可能であるために、上記移動は広い範囲に及ぶことが必要とされる。穴20を備えたばね鋼の細片18が説明された形状であるため、及びこの細片がこれらの穴をさらされたまま取着されるために、ばねの舌部21が曲げられる際には、ばね鋼の細片の基部19がねじれる。そのため、ばねの舌部は、万引き防止装置が移動されるのに耐えるために十分に強く製作可能であり、同時に舌部は、大きな移動範囲を有する。
ボトルから万引き防止装置が持ち上げられる際、ばねの舌部21によってボトルのキャップが損傷を受けないために、外側のソケット15が、図２に示されているような、これらのばねの舌部が引き抜かれる位置から戻れないことが必要とされる。そのような戻りは、ばねの舌部21と溝14の下部との間の摩擦によってある程度防止される。しかしながら、例えば図２に示される位置でソケットを保持する嵌入式ラッチが提供されることが可能である。
（単一のばねの舌部又は二つより多いばねの舌部が提供可能な）ばねの舌部24によって形成されるラッチ手段及び肩部12は、例えばピンである他の型式のラッチ手段に置き換え可能であり、ピンは、軸方向に移動可能であり、ソケット15に半径方向に固定される。ピンは、ばねの付勢の下で、ソケット10の凹部と係合して保持され、外部に適用されるマグネットによって、ばねの付勢に抗して分離されることが可能である。更に、ばねの舌部21は、例えば移動可能なピンである他の型式の保持部に置き換え可能であり、ピンは、内側のソケット10に関して軸方向に移動される際に、カム作用によってピンを移動させる外側のソケット15により、係合される位置に作動される。
示された実施例では、外側のソケット15は、内側のソケット10に関して軸方向に移動可能であるが、外側のソケット15は、代わりに、ソケット10に関して二つの端部位置の間で回転可能であってもよい。外側のソケットは、磁石で引きつけられるばねの舌部によって、又は磁石によりばねの付勢に抗して引き抜かれることが可能な、ばねで付勢されたピンによって、一方の端部位置に固定されることが可能である。この実施例では、ばねの舌部21は、主にカメラダイアフラムのように配置可能である。
ボトルからの移動に抗して万引き防止装置を固定することを可能にするために、ビード29がボトルによって形成されることは必要ではない。そのような固定は、ねじ式キャップ又はそのようなものの縁部に抗して行われることも可能であり、その場合、ここで説明される実施例は、ばねの舌部21が、ねじ式キャップの該ビードを形成する端部によって提供される、ボトルの頸部の小さい突起とも固定されて係合可能であるために、特に適切である。
【図３】
0003618747.tif 000002
【図７】
0003618747.tif 000003
【図１】
0003618747.tif 000004
【図２】
0003618747.tif 000005
【図４】
0003618747.tif 000006
【図５】
0003618747.tif 000007
【図６】
0003618747.tif 000008